(57)【特許請求の範囲】
【請求項１】
建築パネルを搬送するときに使用する建築パネル搬送治具であって、前記建築パネルには、建築パネル本体の裏面の両側縁部に躯体への取付に供する取付部が設けられていて、この建築パネルの建築パネル本体の裏面に沿う面を有し、前記取付部間の距離より短い幅の板状体に、建築パネルに仮りの取付・取外可能な構造が設けられていることを特徴とする建築パネル搬送治具。
【請求項２】
建築パネルを搬送するときに使用する建築パネル搬送治具であって、前記建築パネルには、建築パネル本体の裏面の両側縁部に躯体への取付に供する取付部と、この両側の取付部より内側に係止部とが設けられていて、この建築パネルの建築パネル本体の裏面に沿う面を有し、前記取付部間の距離より短い板状体に係止爪が設けられ、この係止爪は建築パネルの係止部に引っ掛けたり外すことで仮の取付・取外可能な構造になされていることを特徴とする建築パネル搬送治具。
【請求項３】
建築パネルを搬送するときに使用する建築パネル搬送治具であって、前記建築パネルには、建築パネル本体の裏面の両側縁部に躯体への取付に供する取付部と、この両側の取付部より内側に止着部とが設けられていて、この建築パネルの建築パネル本体の裏面に沿う面を有し、前記取付部間の距離より短い板状体に止着部が設けられ、この止着部は建築パネルの止着部にネジ部材を螺入出することで仮の取付・取外可能な構造になされていることを特徴とする建築パネル搬送治具。
【請求項４】
請求項１〜３のいずれかに記載の建築パネル搬送治具を取り付けた建築パネルを搬送し、建物の躯体に建築パネルを取り付けた後に、建築パネルから建築パネル搬送治具を取り外すことを特徴とする建築パネルの取付方法。
【発明の詳細な説明】
【０００１】
【発明の属する技術分野】
本発明は建築パネルを搬送するときに使用する建築パネル搬送治具と、この建築パネル搬送治具を取り付けて搬送された建築パネルを建物の躯体に取り付ける建築パネルの取付方法に関する。
【０００２】
【従来の技術】
従来、建築パネルは硬質木片セメント板、ＡＬＣ板、プレキャストコンクリート板、石膏ボード、合板等の建築パネル本体に取付部を設けたものであり、この建築パネルを、柱、間柱、天井梁、床梁等の建物の躯体に取り付けるだけで、外壁、内壁、間仕切り等の壁や、天井、屋根下地を短期間に形成させることができるので、極めて便利で多く使用されている。
【０００３】
特に、硬質木片セメント板やＡＬＣ板やプレキャストコンクリート板等の無機質の建築パネル本体に取付部を設けた建築パネルは、建物の外壁部分の躯体に取り付けるだけで外壁を形成させることができるので、多く使用されている。
例えば、特開昭６１−１４３４５号公報には、建築パネル本体と、この建築パネル本体の両側縁部に打ち込まれたネールプレートに設けられた係止爪（取付部）とからなる建築パネルを建物の躯体である木製の間柱に取り付けた建築パネルの取付構造が記載されている。
【０００４】
又、特開昭６１−１０６８４７号公報や特開昭６１−１０６８４８号公報には、建築パネル本体と、この建築パネル本体の周囲に取り付けた四角筒状のフレームに設けられた通孔（取付部）とからなる建築パネルを、建物の躯体である断面コ字形長尺体の間柱に、間柱の通孔からフレームの通孔に通されたリベットで、取り付けた建築パネルの取付構造が記載されている。
【０００５】
又、特願平１１−３１８６２１号には、建築パネル本体と、この建築パネル本体に通孔（取付部）を有する取付金具を打ち込んだ建築パネルが記載されている。
又、実公平５−４３１２１６号公報には、鉄筋が埋設されたＡＬＣ板の建築パネル本体と、この埋設された鉄筋に連結されたボルト（取付部）とからなる建築パネルを、建物の躯体である柱に、引き寄せ金具を介して取り付けた建築パネルの取付構造が記載されている。
【０００６】
かかる建築パネルを搬送する方法としては、特開平８−２９０８２４号公報に記載されているように、ローラーコンベアー等のコンベアーに載せて搬送する方法が知られている。
又、特開平８−２５２７８８号公報に記載されているように、吸着パットで吸着させて搬送する方法も知られている。
又、遠方まで搬送する場合は、トラック等に載せて搬送している。
【０００７】
【発明が解決しようとする課題】
しかし、硬質木片セメント板、ＡＬＣ、プレキャストコンクリート等の無機質の建築パネル本体の曲げ強度は比較的に小さく、搬送中や建物の躯体に取り付けるときのハンドリング中に建築パネル本体が折れたり建築パネル本体に亀裂の入る危険性がある。
例えば、建築パネルをローラーコンベアーに載せて搬送していると、ローラーから次のローラーに移動する際の振動により、建築パネル本体に亀裂が入る可能性がある。
【０００８】
又、建築パネルを吸着パットで吸着させ持ち上げて搬送する方法では、吸着パットの数が少ないと、自重により建築パネル本体が曲がり、建築パネル本体に亀裂が入ったり、建築パネル本体が折れる危険性がある。又、吸着パッドの数を多くすると設備費が高価になる。
又、建築パネルをトラックで搬送していると、トラックの振動により建築パネル本体に亀裂が入る可能性がある。
更に、建築パネルを建物の躯体近傍まで搬送し、長い建築パネルの両側を持って建物の躯体に取り付けようとすると、この建築パネル本体が自重により曲って、建築パネル本体に亀裂が入ったり建築パネル本体が折れる危険がある。
【０００９】
そこで、本発明の目的は、搬送中や建築パネルを取り付けるとき等のハンドリング中に建築パネル本体が折れたり、建築パネル本体に亀裂の入る危険性のない建築パネル搬送治具と、この建築パネル搬送治具を取り付けて搬送された建築パネルを建物の躯体に取り付ける建築パネルの取付方法を提供することである。
【００１０】
【課題を解決するための手段】
本発明は上記目的を達成するためになしたものであって、請求項１記載の発明は、建築パネルを搬送するときに使用する建築パネル搬送治具であって、前記建築パネルには、建築パネル本体の裏面の両側縁部に躯体への取付に供する取付部が設けられていて、この建築パネルの建築パネル本体の裏面に沿う面を有し、前記取付部間の距離より短い幅の板状体に、建築パネルに仮りの取付・取外可能な構造が設けられているものである。
【００１１】
請求項２記載の発明は、建築パネルを搬送するときに使用する建築パネル搬送治具であって、前記建築パネルには、建築パネル本体の裏面の両側縁部に躯体への取付に供する取付部と、この両側の取付部より内側に係止部とが設けられていて、この建築パネルの建築パネル本体の裏面に沿う面を有し、前記取付部間の距離より短い板状体に係止爪が設けられ、この係止爪は建築パネルの係止部に引っ掛けたり外すことで仮の取付・取外可能な構造になされているものである。
【００１２】
請求項３記載の発明は、建築パネルを搬送するときに使用する建築パネル搬送治具であって、前記建築パネルには、建築パネル本体の裏面の両側縁部に躯体への取付に供する取付部と、この両側の取付部より内側に止着部とが設けられていて、この建築パネルの建築パネル本体の裏面に沿う面を有し、前記取付部間の距離より短い板状体に止着部が設けられ、この止着部は建築パネルの止着部にネジ部材を螺入出することで仮の取付・取外可能な構造になされているものである。
【００１３】
請求項４記載の発明は、請求項１〜３のいずれかに記載の建築パネル搬送治具を取り付けた建築パネルを搬送し、建物の躯体に建築パネルを取り付けた後に、建築パネルから建築パネル搬送治具を取り外すものである。
【００１４】
請求項１〜３に記載の発明における建築パネル本体の取付部とは、建築パネルを建物の躯体に取り付ける部分のことであり、特開昭６１−１４３４５号公報に記載されているネールプレートに設けられた係止爪や、特開昭６１−１０６８４７号公報、特開昭６１−１０６８４８号公報、特願平１１−３１８６２１号に記載されているフレームに設けられた通孔や、実公平５−４３１２１６号公報に記載されているボルト等で取り付けられたときに、建築パネルが建物の躯体に当接する部分をいう。
【００１５】
又、請求項１〜３に記載の発明における板状体は、建築パネル本体の裏面に沿う面を有すればよく、その他の部分は適宜であればよい。例えば、この板状体の曲げ強度を大きくするために補強部材を設けたり、板状体を持ち上げ易いように把手を設けてもよい。
【００１６】
請求項２記載の発明や請求項３記載の発明に使用する建築パネルには、建築パネル本体に取付部と、係止部や止着部が設けられているが、この取付部、係止部、止着部を設ける手段は種々ある。
例えば、取付部と、係止部や止着部を建築パネル本体に直接設けてもよいし、取付部を設けた金属板等の板体や、係止部や止着部を設けた金属板等の板体を別々に取り付けて設けてもよいし、取付部と係止部や止着部の両方を設けた金属板等の板体を建築パネル本体に取り付けて、取付部と係止部や止着部を同時に設けてもよい。
【００１７】
尚、この取付部、係止部、止着部等を設けた金属板等の板体を建築パネル本体に取り付ける手段としては、前記公報に記載されているように係止爪等を打ち込んで取り付けてもよいし、ネジ釘等の取付具で取り付けてもよいし、接着剤等で接着して取り付けてもよい。又、これ等を２種以上を組み合わせて取り付けてもよい。
【００１８】
請求項２記載の発明では、この係止爪は建築パネル本体の係止部に引っ掛けたり外すことで仮の取付・取外可能な構造になされているが、かかる構造としては種々ある。
例えば、建築パネル本体に段差、窪み、通孔等の係止部を設けていて、板状体の係止爪をこの段差、窪み、通孔等の係止部に引っ掛けて取り付けたり、取り付けられている係止爪を係止部から外すことができる構造がある。
【００１９】
又、請求項３記載の発明に使用するネジ部材とは、回転させて部材を固定するものをいい、ボルト、ナット、ネジ釘、ネジ棒等がある。
そして、請求項３記載の発明では、この止着部は建築パネル本体の止着部にネジ部材を螺入出することで仮の取付・取外可能な構造になされているが、かかる構造としては種々ある。
【００２０】
例えば、建築パネル本体の止着部と板状体の止着部とが通孔であって、この両方の通孔に通したボルトと、このボルトに螺入したナットで建築パネル本体に板状体を取り付けたり、逆にボルトからナットを螺出して建築パネル本体から板状体を取り外すことのできる構造や、建築パネル本体に予め取り付けたボルトが建築パネル本体の止着部であり、板状体に設けた通孔が止着部であり、建築パネル本体のボルトを板状体の通孔に通し、このボルトにナットを螺入して建築パネル本体に板状体を取り付けたり、ナットをボルトから螺出して建築パネル本体から板状体を取り外すことのできる構造や、建築パネル本体の止着部がナットであり、板状体に設けた通孔が板状体の止着部であって、この通孔を通したボルトを建築パネル本体の止着部（ナット）に螺入して建築パネル本体に板状体を取り付けたり、ボルトを止着部（ナット）から螺出して建築パネル本体から板状体を取り外すことのできる構造等がある。
【００２１】
尚、請求項２記載の建築パネル本体の係止部と建築パネル搬送治具の係止爪の組と、請求項３記載の建築パネル本体の止着部と建築パネル搬送治具の止着部の組を併用してもよい。
【００２２】
（作用）
請求項１記載の発明では、建築パネルの建築パネル本体の裏面に沿う面を有する板状体に、建築パネルに仮の取付・取外可能な構造が設けられているので、建築パネル搬送治具を建築パネルに取り付けると、板状体が建築パネル本体の裏面に沿った状態に取り付けられる。
従って、建築パネル本体は、板状体によって補強され、機械的強度、例えば、曲げ強度が大きくなり、建築パネルを搬送中に建築パネル本体が折れたり、建築パネル本体に亀裂が入ることがない。
しかも、この取り付けた構造は、取外可能な構造になっているので、搬送終了後に、建築パネル本体から建築パネル搬送治具を簡単に外すことができる。
【００２３】
請求項２記載の発明では、建築パネルの建築パネル本体の裏面に沿う面を有する板状体に係止爪が設けられ、この係止爪は建築パネルの係止部に引っ掛けたり外すことで仮の取付・取外可能な構造になされているので、係止爪を建築パネル本体の係止部に引っ掛けて、建築パネル搬送治具を建築パネル本体の裏面に取り付けると、板状体が建築パネル本体の裏面に沿った状態に取り付けられる。
従って、建築パネル本体は、板状体によって補強され、機械的強度、例えば、曲げ強度が大きくなり、建築パネルを搬送中に建築パネル本体が折れたり、建築パネル本体に亀裂が入ることがない。
しかも、この建築パネル搬送治具の係止爪は取外可能になっているので、搬送終了後に、建築パネル本体から建築パネル搬送治具を簡単に外すことができる。
【００２４】
請求項３記載の発明では、建築パネルの建築パネル本体の裏面に沿う面を有する板状体に止着部が設けられ、この止着部は建築パネルの止着部にネジ部材を螺入出することで仮の取付・取外可能な構造になされているので、建築パネル搬送治具の止着部を建築パネル本体の止着部にボルトやナット等のネジ部材を螺入して建築パネル搬送治具に建築パネルを取り付けると、板状体が建築パネル本体の裏面に沿った状態に取り付けられる。
従って、建築パネル本体は、板状体によって補強され、機械的強度、例えば、曲げ強度が大きくなり、建築パネルを運搬中に建築パネル本体が折れたり、建築パネル本体に亀裂が入ることがない。
しかも、この建築パネル搬送治具の止着部は取外可能になっているので、搬送終了後に、ボルトやナット等のネジ部材を螺出して建築パネル本体から建築パネル搬送治具を簡単に外すことができる。
【００２５】
請求項４記載の発明では、請求項１〜３のいずれかに記載の建築パネル搬送治具を取り付けた建築パネルを搬送し、建物の躯体に建築パネルを取り付けた後に、建築パネルから建築パネル搬送治具を取り外すので、建築パネルを建物の躯体に取り付けるハンドリング中に建築パネル本体が折れたり、建築パネル本体に亀裂が入ることがない。
【００２６】
即ち、請求項１〜３に記載の発明では、板状体が取付部間の距離より短い幅を有するので、建築パネルの取付部を建物の躯体に取り付けても、この取付部間の距離より短い板状体は建物の躯体に取り付けられてなく、この建築パネル搬送治具を取り付けたまま、建築パネルを建物の躯体に取り付けた後に、建築パネル搬送治具を取り外すことができる。
そして、請求項４記載の発明のようにすることにより、建築パネルを建物の躯体に取り付けるハンドリング中に、板状体で補強された建築パネル本体が折れたり、建築パネル本体に亀裂が入ることがない。
【００２７】
尚、請求項２記載の発明では、係止爪を建築パネル本体の係止部に引っ掛けて、建築パネル搬送治具を建築パネルに取り付けているだけであるので、建築パネル搬送治具を外れる方向に移動させることにより係止部から係止爪を極めて簡単に外すことができるが、逆に、意図しないのに、搬送中に、建築パネルまたは建築パネル搬送治具が外れる方向に移動して、建築パネル搬送治具が建築パネルから外れることがある。
【００２８】
一方、請求項３記載の発明では、建築パネルに建築パネル搬送治具を取り付けたり、取り外すときには、ボルト・ナット等のネジ部材を螺入出する必要があり、建築パネル搬送治具を建築パネルに取り付けたり、取り外す作業が請求項１記載の発明より若干面倒であるが、搬送中に建築パネル搬送治具が建築パネルから外れないという特徴がある。
【００２９】
従って、請求項２記載の建築パネル本体の係止部と建築パネル搬送治具の係止爪の組と、請求項３記載の建築パネル本体の止着部と建築パネル搬送治具の止着部の組を併用して、係止部と係止爪の組に主に建築パネルの荷重を掛け、建築パネル本体の止着部と建築パネル搬送治具の止着部とで建築パネルから建築パネル搬送治具を外れないようにすると、建築パネルまたは建築パネル搬送治具が搬送中に外れなく、且つ、建築パネル本体の止着部と建築パネル搬送治具の止着部の組を減らして建築パネル搬送治具を建築パネルに取り付けたり取り外す作業を簡単にすることができるので、好ましい。
【００３０】
【発明の実施の形態】
次に、本発明の実施の形態を実施例で説明する。
図１〜図８は本発明をユニット建物に採用した一実施例を示すもので、図１はユニット建物を示す斜視図、図２は建物ユニットを示す一部切欠斜視図、図３（イ）は建築パネルの斜視図、（ロ）は（イ）のＡ−Ａ線における断面図、（ハ）は（イ）のＢ−Ｂ線における断面図、図４（イ）は係止部と取付部が設けられた係止金属板を示す斜視図、（ロ）は止着部と取付部が設けられた止着金属板を示す斜視図、図５（イ）は表面を上にした建築パネル搬送治具を示す斜視図、（ロ）は裏面を上にした建築パネル搬送治具を示す斜視図、図６は係止爪を示す斜視図、図７は建築パネルに建築パネル搬送治具を取り付けている状態を示す斜視図、図８は建築パネルの取付方法を示すもので、（イ）は建築パネル搬送治具が取り付けられた建築パネルを建物ユニットに取り付けている状態を示す斜視図、（ロ）は建築パネルを建物ユニットに取り付けた状態を示す水平断面図、（ハ）は建築パネルから建築パネル搬送治具を取り外している状態を示す水平断面図である。
【００３１】
図１〜図８において、Ｕはユニット建物であり、このユニット建物Ｕは、図１に示すように、基礎９の上に９個の建物ユニット１が据え付けられて１階が形成され、この１階の建物ユニット１の上に９個の建物ユニット１が据え付けられて２階が形成され、この２階の建物ユニット１の上に屋根パネル２が取り付けられたものである。
【００３２】
このとき使用する建物ユニット１は、図２に示すように、矩形の四隅に立設された４本の鋼製の四角筒体の柱１１と、この４本の柱１１の下端部を矩形の辺に沿って連結した４本の鋼製の断面コ字形長尺体の床梁１２と、この４本の柱１１の上端部を矩形の辺に沿って連結した４本の鋼製の断面コ字形長尺体の天井梁１３とからなる骨格を備えている。
【００３３】
そして、この建物ユニット１は、この骨格の対向する長辺の床梁１２、１２に複数本の鋼製の四角筒体の床小梁１５がほぼ平行に差し渡されて取り付けられ、この床小梁１５の上に木製の床根太１６が取り付けられ、この上にパーチクルボードの床材１４が取り付けられて床が形成され、対向する長辺の天井梁１３、１３に複数本の木製の天井野縁１７がほぼ平行に差し渡されて取り付けられ、この天井野縁１７の下面に石膏ボードの天井材１８が取り付けられて天井が形成され、外壁を設ける場所には、床梁１２と天井梁１３との間に間柱１９が取り付けられ、この間柱１９の屋外側と屋内側に外壁パネルの建築パネル３と、内壁パネルとが取り付けられ、この建築パネル３と内壁パネルの間にガラスウールの断熱材が設けられて壁が形成されたものである。
【００３４】
建築パネル３は、図３および図７に示すように、建築パネル本体３１の裏面の両側縁部の上部と中央部とにそれぞれ係止金属板３２が設けられ、裏面の両側縁部の下部にそれぞれ止着金属板３３が設けられたものである。
建築パネル本体３１は硬質木片セメント板の表面に模様を施したものであり、裏面は平面状になっている。
【００３５】
係止金属板３２は、図４に示すように、通孔である係止部３２１と、通孔である取付部３２２と、取付孔３２３とが設けられたほぼ四角形の鋼板である。
そして、この係止金属板３２は、接着剤で建築パネル本体３１の裏面に接着され、図３（ロ）に示すように、取付孔３２３から螺入されたビス３２４で建築パネル本体３１に取り付けられている。
この際、係止部３２１と取付部３２２に対峙する建築パネル本体３１には窪み３２５、３２６が設けられている。
【００３６】
止着金属板３３は、図５に示すように、雌ネジが穿設されたネジ孔である止着部３３１と、通孔である取付部３３２と、取付孔３３３とが設けられたほぼ四角形の鋼板である。
そして、この止着金属板３３は、接着剤で建築パネル本体３１の裏面に接着され、図３（ハ）に示すように、取付孔３３３から螺入されたビス３３４で建築パネル本体３１に取り付けられている。
この際、止着部３３１と取付部３３２に対峙する建築パネル本体３１には窪み３３５、３３６が設けられている。
【００３７】
このように係止金属板３２と止着金属板３３が建築パネル本体３１に取り付けられると、建築パネル本体３１の両側縁部にそれぞれ３個ずつ、合計６個の取付部３２２、３３２が設けられ、この取付部３２２、３３２より内側に４個の係止部３２１と２個の止着部３３１が設けられた建築パネル３となる。
【００３８】
４は建築パネル搬送治具であって、この建築パネル搬送治具４は、図５に示すように、板状体４１に係止爪４２と止着部４３とが設けられたものである。
板状体４１は、平らな金属板の本体４１１と、この両側縁部に立設された補強部材４１２と、この両側の補強部材４１２に差し渡された２本の把手４１３とからなる。
尚、この板状体４１の表面は平面状になっていて、建築パネル本体３１に沿う形状になっているし、この板状体４１の幅は、建築パネル本体３１の両側に設けられた取付部３２２、３２２間や取付部３３２、３３２間の距離より短い。
【００３９】
係止爪４２は、鍵形の金属片であり、この係止爪４２は、図６に示すように、台４９に一体に取り付けられていて、この台４９が板状体４１の表面に溶接で取り付けられている。
そして、図７に示すように、この係止爪４１を建築パネル３の通孔である係止部３２１から窪み３２５に差し込み引っ掛けて、板状体４１を建築パネル本体３１に沿わせた後に、ボルト４５を通孔である止着部４３からネジ孔である止着部３３１に螺入することで、建築パネル搬送治具４を建築パネル３に、外れないように、取り付けることができるようになっている。
【００４０】
又、ボルト４５を止着部３３１から螺出した後に、この係止部３２１から窪み３２５に差し込まれている係止爪４２を係止部３２１から引き出すと、建築パネル搬送治具４を建築パネル３から取り外すことができるようになっている。
止着部４３は通孔である。
【００４１】
次に、このユニット建物の施工方法について説明する。
図２に示すように、工場で、矩形の四隅に４本の柱１１を立設し、この４本の柱１１の下端部を４本の床梁１２で連結し、４本の柱１１の上端部を４本の天井梁１３で連結して建物ユニット１の骨格を製造する。
【００４２】
そして、この建物ユニット１の骨格の対向する長辺の床梁１２、１２に複数本の床小梁１５をほぼ平行に差し渡して取り付け、この床小梁１５の上に床根太１６を取り付け、この上に床材１４を取り付けて床を形成し、対向する長辺の天井梁１３、１３に複数本の天井野縁１７をほぼ平行に差し渡して取り付け、この天井野縁１７の下面に天井材１８を取り付けて天井を形成し、外壁を設ける場所には、床梁１２と天井梁１３との間に間柱１９を取り付け、この間柱１９の屋外側と屋内側に外壁パネルの建築パネル３と、内壁パネルを取り付け、この建築パネル３と内壁パネルの間にガラスウールの断熱材を設けて壁を形成し、種々な仕上げを行うと建物ユニット１が完成する。
かっんこ
この際の建物パネル３を建物の躯体である間柱１９に取り付ける建築パネル３の取付方法について詳細に説明する。
先ず、建築パネル本体３１の両側縁部に窪み３２５、３２６を設け、裏面に接着剤を塗布した係止金属板３２を、図３（ロ）に示すように、窪み３２５と３２６の上方にそれぞれ係止部３２１と取付部３２２を位置させ押し付けて接着し、取付孔３２３から螺入したビス３２４で建築パネル本体３１に係止金属板３２を取り付ける。
【００４３】
又、建築パネル本体３１の両側縁部に窪み３３５、３３６を設け、裏面に接着剤を塗布した止着金属板３３を、図３（ハ）に示すように、窪み３３５と３３６の上方にそれぞれ止着部３３１と取付部３３２を位置させ押し付けて接着し、取付孔３３３から螺入したビス３３４で建築パネル本体３１に止着金属板３３を取り付けて建築パネル３を製造する。
【００４４】
一方、図５に示すように、鋼板の両側縁部を折り曲げて本体４１１と、この本体４１１の両側に立設した補強部材４１２を形成し、この両側の補強部材４１２に把手４１３を差し渡し溶接し、板状体４１の表面に、係止爪４２を溶接し、本体４１１に通孔を設けて止着部４３を形成して建築パネル搬送治具４を製造する。
そして、図７に示すように、この建築パネル搬送治具４を建築パネル３に、係止爪４１を建築パネル３の通孔である係止部３２１から窪み３２５に差し込み引っ掛けて板状体４１を建築パネル本体３１に沿わせ、ボルト４５を通孔である止着部４３からネジ孔である止着部３３１に螺入して、取り付ける。
【００４５】
次に、この建築パネル搬送治具４が取り付けられた建築パネル３を、把手４１３を持って建物ユニット１のある場所まで搬送する。
すると、建築パネル搬送治具４は、係止爪４２を建築パネル本体３１の係止部３２２に引っ掛け、止着部４３からボルト４５を止着部３３１に螺入して、建築パネル３に取り付けられているので、把手４１３を持って建築パネル搬送治具４が取り付けられた建築パネル３を搬送する際に、建築パネル搬送治具４が移動しようとしても、ボルト４５で止着されていて移動できず、建築パネルから外れなくなっているし、又、建築パネル３の荷重は係止爪４２に掛かるので、ボルト４５の数を２個というように少なくても搬送に支障が生じない。
【００４６】
又、建築パネル３に建築パネル搬送治具４が取り付けられていると、建築パネル本体３１は、板状体４１によって補強され、機械的強度、例えば、曲げ強度が大きくなり、建築パネル３を搬送中に建築パネル本体３１が折れたり、建築パネル本体３１に亀裂が入ることがない。
次に、図８（イ）に示すように、この建築パネル搬送治具４が取り付けられた建築パネル３の両側縁部を、建物ユニット１の隣合う２本の間柱１９に押し付けて、間柱１９に設けられている通孔１９１から、図８（ロ）に示すように、建築パネル３の取付部３２２、３３２を経て窪み３２６、３３６に通したリベット４９で建築パネル３を間柱１９に取り付ける。
【００４７】
次に、図８（ハ）に示すように、ボルト４５をネジ孔である止着部３３１から螺出し、建築パネル搬送治具４を下方に移動させて、係止爪４１を建築パネル３の通孔である係止部３２１から外して、建築パネル搬送治具４を建築パネル３から取り外す。
すると、建築パネル搬送治具４の板状体４１の幅は、建築パネル３の建築パネル本体３１の両側に設けられている取付部３１２、３１２（３２２、３２２）間の距離より短いので、建築パネル３の取付部３１２、３２２を建物ユニット１の間柱１９に取り付けても、この取付部３１２、３１２（３２２、３２２）間の距離より短い板状体４１は建物ユニット１の間柱１９に取り付けられてない。
【００４８】
従って、この建築パネル搬送治具４を取り付けたまま、建築パネル３を建物ユニット１の間柱１９に取り付けても、その後に、建築パネル搬送治具４を建築パネル３から取り外すことができる。
又、ボルト４５が２個だけであるので、建築パネル搬送治具４を建築パネル３に取り付けたり取り外す作業が容易である。
又、建築パネル本体３１が建築パネル搬送治具４で補強されているので、建築パネル３を建物ユニット１の間柱１９に取り付けるハンドリング中に建築パネル本体３１が折れたり、建築パネル本体３１に亀裂が入ることがない。
【００４９】
このようにして製造した建物ユニット１を施工現場に運搬し、施工現場では、予め設けられている基礎９の上に９個の建物ユニット１を据え付けて１階を形成し、この１階の建物ユニット１の上に９個の建物ユニット１を据え付けて２階を形成し、この２階の建物ユニット１の上に屋根パネル２を取り付け、種々な仕上げを行うとユニット建物Ｕが完成する。
【００５０】
【発明の効果】
請求項１記載の発明は、建築パネルの建築パネル本体の裏面に沿う面を有する板状体に、建築パネルに仮の取付・取外可能な構造が設けられているから、建築パネル搬送治具を建築パネル本体の裏面に取り付けると、板状体が建築パネル本体の裏面に沿った状態に取り付けられ、この板状体によって建築パネル本体が補強され、機械的強度、例えば、曲げ強度が大きくなり、建築パネルを搬送中に建築パネル本体が折れたり、建築パネル本体に亀裂が入ることがないし、搬送終了後に、建築パネル本体から建築パネル搬送治具を簡単に外すことができる。
【００５１】
請求項２記載の発明は、建築パネルの建築パネル本体の裏面に沿う面を有する板状体に係止爪が設けられ、この係止爪は建築パネルの係止部に引っ掛けたり外すことで仮の取付・取外可能な構造になされているから、係止爪を建築パネル本体の係止部に引っ掛けて、建築パネル搬送治具を建築パネル本体の裏面に取り付けると、板状体が建築パネル本体の裏面に沿った状態に取り付けられ、この板状体によって建築パネル本体が補強され、機械的強度、例えば、曲げ強度が大きくなり、建築パネルを搬送中に建築パネル本体が折れたり、建築パネル本体に亀裂が入ることがないし、搬送終了後に、建築パネル本体から建築パネル搬送治具を簡単に外すことができる。
【００５２】
請求項３記載の発明は、建築パネルの建築パネル本体の裏面に沿う面を有する板状体に止着部が設けられ、この止着部は建築パネルの止着部にネジ部材を螺入出することで仮の取付・取外可能な構造になされているから、建築パネル搬送治具の止着部を建築パネル本体の止着部にボルトやナット等のネジ部材を螺入して建築パネル搬送治具に建築パネルを取り付けると、板状体が建築パネル本体の裏面に沿った状態に取り付けられ、この板状体によって建築パネル本体が補強され、機械的強度、例えば、曲げ強度が大きくなり、建築パネルを運搬中に建築パネル本体が折れたり、建築パネル本体に亀裂が入ることがないし、搬送終了後に、ボルトやナット等のネジ部材を螺出して建築パネル本体から建築パネル搬送治具を簡単に外すことができる。
【００５３】
請求項４記載の発明は、請求項１〜３のいずれかに記載の建築パネル搬送治具を取り付けた建築パネルを搬送し、建物の躯体に建築パネルを取り付けた後に、建築パネルから建築パネル搬送治具を取り外すから、建築パネルを建物の躯体に取り付けるハンドリング中に建築パネル本体が折れたり、建築パネル本体に亀裂が入ることがない。
【図面の簡単な説明】
【図１】本発明をユニット建物に採用した一実施例を示すもので、ユニット建物を示す斜視図である。
【図２】建物ユニットを示す一部切欠斜視図である。
【図３】（イ）は建築パネルの斜視図、（ロ）は（イ）のＡ−Ａ線における断面図、（ハ）は（イ）のＢ−Ｂ線における断面図である。
【図４】（イ）は係止部と取付部が設けられた係止金属板を示す斜視図、（ロ）は止着部と取付部が設けられた止着金属板を示す斜視図である。
【図５】（イ）は表面を上にした建築パネル搬送治具を示す斜視図、（ロ）は裏面を上にした建築パネル搬送治具を示す斜視図である。
【図６】係止爪を示す斜視図である。
【図７】建築パネルに建築パネル搬送治具を取り付けている状態を示す斜視図である。
【図８】建築パネルの取付方法を示すもので、（イ）は建築パネル搬送治具が取り付けられた建築パネルを建物ユニットに取り付けている状態を示す斜視図、（ロ）は建築パネルを建物ユニットに取り付けた状態を示す水平断面図、（ハ）は建築パネルから建築パネル搬送治具を取り外している状態を示す水平断面図である。
【符号の説明】
１                  建物ユニット
１９                建築パネルを取り付ける建物の躯体（間柱）
３                  建築パネル
３１                建築パネル本体
３２１              係止部
３２２              取付部
３３１              止着部
３３２              取付部
４                  建築パネル搬送治具
４１                板状体
４２                係止爪
４３                止着部
４５                ネジ部材（ボルト）
【図１】
0004263843.tif 000002
【図２】
0004263843.tif 000003
【図３】
0004263843.tif 000004
【図４】
0004263843.tif 000005
【図５】
0004263843.tif 000006
【図６】
0004263843.tif 000007
【図７】
0004263843.tif 000008
【図８】
0004263843.tif 000009